【事件の表示】
　特願２００９−２５８５７３号「遊技機」拒絶査定不服審判事件〔平成２３年　５月２６日出願公開、特開２０１１−１０１７６８号〕について、次のとおり審決する。
【結　論】
　本件審判の請求は、成り立たない。
【理　由】
１．手続の経緯
　本願は、平成２１年１１月１２日の出願であって、平成２６年６月９日付けで拒絶査定（発送日：平成２６年６月１７日）がなされ、これに対し、平成２６年８月１８日に拒絶査定不服審判の請求がなされたものである。
　
２．本願発明
　本願の特許請求の範囲の請求項１〜３に係る発明は、平成２５年１２月１１日付けの手続補正書により補正された特許請求の範囲の請求項１〜３に記載された事項により特定されるとおりのものであるところ、その請求項１に係る発明（以下、「本願発明」という。）は次のとおりのものである。
「【請求項１】
　遊技球による遊技を行うための遊技領域を盤面に有する遊技盤と当該遊技盤を遊技者と隔てるための透明板とを備える遊技機であって、
　前記遊技盤の前記盤面から前記透明板の方向に離間して位置する装飾板と、
　前記遊技盤の前記盤面から前記透明板の方向に光を出射する出射手段と、
　前記遊技盤の前記盤面と前記装飾板との間に配設され、遊技球が転がるように傾斜する傾斜部分を有し、当該傾斜部分が前記出射手段からの光を受けて光るための光学機能部を有するスロープ部材と、
　を備え、
　前記スロープ部材の前記光学機能部は、当該スロープ部材の前記傾斜部分を形成する遊技球の転がり面にて当該転がり面の幅方向の端部に位置することを特徴とする遊技機。」
３．刊行物に記載の発明
（１）原査定の拒絶の理由に引用された、本願の出願日前に頒布された刊行物である特開２００４−３０５３９１号公報（以下、「刊行物１」という。）には、図面と共に次の事項が記載されている（下線は当審で付与した。）。
　
（１ａ）「【００１０】
【発明の実施の形態】
以下、本発明に係る
パチンコ遊技機
遊技盤３が配設される前面枠２が回動自在に装着されている。更に、その前面枠２の前面に、前記遊技盤３の前面上部を覆う透明板保持枠４
【００１１】
前記透明板保持枠４は、中央に前記遊技盤３の遊技部３ａが臨む窓開口６が開設され、該窓開口６が透明板であるガラス板７で塞がれている。
【００１２】
前記遊技盤３前面に、遊技部３ａを囲うようにして内側案内レール１１ａと外側案内レール１１ｂが渦巻状に敷設されている。そして、遊技部３ａのほぼ中央に可変表示装置１２が設けられ、その下部に前方へ回動可能な開閉扉１３を装着した球入口１４が設けられている。また、可変表示装置１２の右側方に回転チャッカー１５と大入賞口１６とが上下に設けられている。遊技盤３面における遊技部３ａの下部に、前記遊技部３ａの下端中央部を含むようにして、すなわち、遊技盤３面における遊技部３ａの内側ガイドレール１１ａの下部内周面に沿い前記遊技部３ａの下端中央部を含むようにして、
その両側へ伸びる電飾装置１７が装着されている。
（１ｂ）「【００１６】
前記電飾装置１７は、前面のデザインが所望の図柄（図では孔雀の図）が描出され、頭部と胴部からなる上部材１７ａと尾からなる下部材１７ｂとから構成される。
【００１７】
前記上部材１７ａは、図２，図３に示すように取付板１９と、該取付板１９の前側にそのほぼ前面全体を覆うようにしかつほぼパチンコ球一個分の間隔離して平行に配置され、前面に孔雀の胴部模様をあしらった装飾板２０とからなる。
装飾板２０は透光性のレンズ部材からなり、
（１ｃ）「【００１８】
前記上部材１７ａと連続して配置される下部材１７ｂは、図２，図４に示すように、前面に孔雀の尾羽根部の模様をあしらった装飾板３０と、その後側にほぼパチンコ球一個分の間隔離して平行に配置される取付板３１とからなる。装飾板３０は透光性のレンズ部材からなり、
それら入賞球受部３２の間には、装飾板３０の上部に沿って後方へ突出する受止板３３を張設することにより、上面に複数（図では４個）のアウト球受部３４が設けられる。
【００１９】
これにより、装飾板３０の裏面であってその
上縁部の横幅方向の全域に沿ってアウト球受部３４が成形されることになる。
各受止板３３は、入賞球受部３２側と装飾板３０の両端側でそれぞれ上方へ傾斜しており、所定の一個所が最も低い底部として成形される。
【００２０】
前記取付板３１には、前記各入賞球受部３２に対応して、前後端面がそれぞれ開放され内部に球検出器３６が臨む入賞球受枠３９が設けられる。また、取付板３１に各受止板３３の底部に対応して該底部と連なるアウト球通孔４０が開設されている。これらアウト球通孔４０は遊技盤３の後記するアウト球口４６に連通するようになっており、しかも、横並びする二個のパチンコ球が同じに通過できる広さを有する。
取付板３１の前面には、特に遊技部３ａの下端中央部を含め所定の位置に、前面に発光源である複数のＬＥＤ４１を配置した複数の配線基板４２が取着される。
【００２１】
遊技盤３の遊技部３ａ下部に、横長に成形され、前記各入賞球受枠３９が介装されると共に各アウト球通孔４０と連通するアウト球口４６が設けられている。このアウト球口４６は、その後面が覆板４７により塞がれる。また、この覆板４７に前記入賞球受枠３９が挿通される通孔４８が開設される。アウト球口４６の下方には、該アウト球口４６と連通し下端面が開放される排出通路４９が成形される。そして、アウト球口４６にガイド枠４３を嵌合すると共に、
取付板３１の適宜位置に設けられた取付孔５０を介して遊技盤３前面のビス孔５１にビス５２を螺締することにより、下部枠１７ｂが装着される。
（１ｄ）「【００２２】
そこで、遊技部３ａに打ち込まれ、いずれかの入賞球受部３４に入ったパチンコ球Ｂは、図５に示すように球検出器３６で検出され、入賞球受枠３９を介してその後端面から遊技盤３の裏面に排出される。一方、遊技部３ａに打ち込まれ、回転チャッカー１５や大入賞口１６、更には、入賞球受部３４に入賞しなかったすべてのパチンコ球Ｂ１は、いずれかのアウト球受部３４に受けられ、図６に示すようにアウト球通口４０を介してアウト球口４６に入り、排出通路４９を流下して下方へ排出される。遊技中は、前記上部材１７ａまたは下部材１７ｂ内に配置された
各ＬＥＤ２１，４１が点灯または点滅し、電飾装置１７のほぼ前面全体で電飾効果が発揮できることとなる。
（１ｅ）【図６】には、遊技盤３に設けられた装飾板３０、取付板３１の縦断面図であり、受止板３３は装飾版３０から遊技盤３に向かい張設され、その上面にアウト球受部３４を設けた構成が示されている。
装飾板３０は遊技盤３に対し、受止板３３と取付板３１により離間している。
複数のＬＥＤ４１は装飾板３０と（図示されていないが）その前面にあるガラス板７の方向に光を出射可能
　なお、装飾板３０と受止板３３の断面は同じハッチングで描かれている。
（１ｆ）前記（１ｂ）、（１ｃ）より、電飾装置１７は上部材１７ａと下部材１７ｂから構成され、下部材１７ｂは装飾板３０と取付板３１とからなるので、少なくとも
装飾板３０と取付板３１は電飾装置１７の一部を構成
　上記記載事項及び図示内容を総合すると、刊行物１には次の発明（以下、「引用発明」という。）が記載されている。
 「遊技盤３とガラス板７とを備えるパチンコ遊技機であって、
　前記遊技盤３から前記ガラス板７の方向に離間して位置する装飾板３０と、
　前記遊技盤３上の取付板３１の前面に取着された配線基板４２から前記ガラス板７の方向に光を出射するＬＥＤ４１と、
　前記遊技盤３と前記装飾板３０との間に配設され、上面にアウト球受部３４を有し傾斜している受止板３３を備え、
　前記ＬＥＤ４１からの光を受けて、装飾板３０、取付板３１からなる電飾装置１７は電飾効果を発揮できるようにした遊技機。」
（２）原査定の拒絶の理由に引用された、本願の出願前に頒布された刊行物である特開２００９−２４０４９４号公報（以下、「刊行物２」という。）には、図面と共に次の事項が記載されている。
（２ａ）「【発明の詳細な説明】
【技術分野】
【０００１】
　本発明は、
パチンコ機
遊技領域での光による演出
（２ｂ）「【発明を実施するための最良の形態】
【００２３】
　以下、本発明に係る弾球遊技機の実施の形態として、遊技場等に設置されるパチンコ機を図面に沿って説明する。図１は、本実施形態におけるパチンコ機の外部構造を示す正面図である。なお、本実施形態では、本発明の弾球遊技機を、始動チャッカーを２箇所有する所謂１種１種のパチンコ機として述べるが、本発明はこれに限らず、他の機能を有するパチンコ機にも適用可能であることは勿論である。
【００２４】
　本実施形態のパチンコ機１は、図１に示すように、発射ハンドル２の操作による発射装置（図示せず）の作動で遊技球（所謂パチンコ玉）を遊技盤３の遊技領域３ａに向かって打ち出しつつ遊技を行うもので、所謂確率変動等の大当たり（特別遊技状態）が発生した状態でアタッカー５に入球した遊技球に対応する数の遊技球を払い出すように構成される。上記確率変動当たり（「確変当たり」ともいう）とは、抽選の結果、確変モードの大当たりが当選したとき、少なくとも当該確変モードによる遊技状態において次なる大当たりを引くまでの間、遊技者に有利な付加価値を付与し得る特殊状態を意味する。これに対し、当該特殊状態にならない大当たりとして「通常当たり」がある。
・・・
【００２８】
　遊技領域３ａには、中央部に形成された開口部３７と、遊技領域３ａに打ち出された遊技球Ｂａを導入し得るように左上部に形成されたワープ導入口（導入口）２６と、該ワープ導入口２６から導入された遊
技球Ｂａを転動させるステージＳと、を有するセンター飾り（センター役物）２３を備えている。該センター飾り２３は、開口部３７の下側に上記ステージＳを有しており、
（２ｃ）「【００４８】
　図４及び図５に示すように、
センター飾り２３の正面視における転動路５２ａ，５３ａ，５４ａ及びリブ５３ｂの背面側には、前述したように、各ステージ構成部材５２〜５４の少なくとも上下方向で重ならない露出部分Ｅ１，Ｅ２，Ｅ３の背面側に該露出部分Ｅ１，Ｅ２，Ｅ３とそれぞれ重なり合うようにＬＥＤ６２ａ，６２ｂ，６２ｃが、基板６１に実装された形で配置されている。
【００４９】
　そして、図５に示すように、上記ＬＥＤ６２ａ，６２ｂ，６２ｃから照射される光の一部（Ｌ１，Ｌ２，Ｌ３）は、露出部分Ｅ１，Ｅ２，Ｅ３から入射して転動路５２ａ，５３ａ，５４ａを透過して拡散光Ｌ４，Ｌ５，Ｌ６として射出される。このため、指向性を持った
ＬＥＤ光が照射されても、直進する光は転動路５２ａ，５３ａ，５４ａ内を通ってその前端面から有効に拡散してステージＳ前方に照射することができる。これにより、背面側からの光照射で輪郭が際立つ転動路５２ａ，５３ａ，５４ａとその周辺部とのコントラストの違いで、ステージＳ及びその周辺を効果的に照明して演出効果を高めることができる。
（２ｄ）前記（２ｃ）の記載を参考にして、【図５】を見ると、転動路５２ａ、５３ａ、５４ａを透過してその前端面から拡散光Ｌ４、Ｌ５、Ｌ６として射出されており、各転動路の幅方向の前端部（図面上は左端部）において光が拡散されていることがわかる。
４．対比
　本願発明と引用発明とを対比する。
（１）引用発明の「パチンコ遊技機」は本願発明の「遊技機」に相当する。そして、引用発明の「遊技盤３」は、遊技領域を盤面を有することは明らかであるから、本願発明の「遊技球による遊技を行うための遊技領域を盤面に有する遊技盤」に相当する。また、引用発明の「ガラス板７」は、透明板であり、また遊技盤３の前面にあることは明らかであるから、本願発明の「遊技盤を遊技者と隔てるための透明板」に相当する。
（２）引用発明の「遊技盤３から」と本願発明の「遊技盤の前記盤面から」とは実質的に同じであり、引用発明の「装飾板３０」は、本願発明の「装飾板」に相当する。そして、引用発明の「ＬＥＤ４１」は、遊技盤３上の取付板３１の前面に取着された配線基板４２に配置されていることから、遊技盤３の盤面から光を出射されるものといえるので、引用発明の「ＬＥＤ４１」は、本願発明の「出射手段」に相当する。また、引用発明の「受止板３３」は、傾斜しており、上面に遊技球が転がるアウト球受け部３４を設けているから、本願発明の「遊技球が転がるように傾斜する傾斜部分を有」する「スロープ部材」に相当する。
　そうすると、両者は、
「遊技球による遊技を行うための遊技領域を盤面に有する遊技盤と当該遊技盤を遊技者と隔てるための透明板とを備える遊技機であって、
　前記遊技盤の前記盤面から前記透明板の方向に離間して位置する装飾板と、
　前記遊技盤の前記盤面から前記透明板の方向に光を出射する出射手段と、
　前記遊技盤の前記盤面と前記装飾板との間に配設され、遊技球が転がるように傾斜する傾斜部分を有するスロープ部材と、
　を備えた遊技機。」
である点で一致しており、次の点で相違する。
　
（相違点）
　本願発明は、スロープ部材の傾斜部分が前記出射手段からの光を受けて光るための光学機能部を有し、前記スロープ部材の前記光学機能部は、当該スロープ部材の前記傾斜部分を形成する遊技球の転がり面にて当該転がり面の幅方向の端部に位置するのに対し、引用発明は、スロープ部材の傾斜部分についてそのような特定がなされていない点。
５．当審の判断
　上記相違点について検討する。
　引用発明は「ＬＥＤ４１からの光を受けて、装飾板３０、取付板３１からなる電飾装置１７は電飾効果を発揮できるようにした」ものである。
　そして、刊行物１の（１ｃ）には、「装飾版３０は透光性のレンズ部材からなり」と記載され、（１ｅ）には、【図６】において、装飾板３０と受止板３３の断面は同じハッチングで描かれていることから、受止板３３は装飾板３０と一体成形された同じ材料のもと考えられるから、受止板３３も透光性材料と考えるのが自然である。したがって、ＬＥＤ４１が光を発射すれば、遮るものがある等の特段の事情がない限り、装飾版３０のみならず受止板３３（スロープ部材）にも光照射が行われていると考えるのが合理的である。もっとも、引用発明の電飾装置１７は、装飾板３０、取付板３１からなるが、受止板３３（スロープ部材）は、装飾板３０と取付板３１の間に位置することから、電飾装置１７の一部を構成していると考えられることからも、受止板３３（スロープ部材）も光照射が行われているといえる。
　一方、刊行物２は、（２ｂ）より、パチンコ機においてセンター飾り２３がステージＳを有することが記載されている。ステージＳは通常傾斜していることから、（２ｃ）の各ステージ構成部材５２〜５４は傾斜部分を有することは明らかであり、転動路５２ａ、５３ａ、５４ａも同様である。そして、（２ｄ）の「各転動路の前端部」は「傾斜部分の転がり面の幅方向の端部」と言い換えることができ、この「転がり面の幅方向の端部」により光は拡散され、光は遊技者側と転がり面の上方に拡散されることは明らかである。そして、この「転がり面の幅方向の端部」は「光学機能部」といえる。そうすると、刊行物２には、センター飾り２３を有するパチンコ機において、「スロープ部材の傾斜部分が出射手段からの光を受けて光るための光学機能部を有し、前記スロープ部材の前記光学機能部は、当該スロープ部材の前記傾斜部分を形成する遊技球の転がり面にて当該転がり面の幅方向の端部に位置する構成」が記載されているといえる。
　引用発明も刊行物２に記載された構成も、パチンコ機において光を出射する出射手段を備え、光による演出を目的としたものである。そして、引用発明において、光出射手段は装飾板のみならずスロープ部材にも照射されているから、刊行物２に記載の上記構成を採用して、前記相違点に係る本願発明の構成とすることは当業者が容易に行い得ることである。
　また、本願発明の作用効果は、引用発明及び刊行物２に記載された事項からみて格別のものではない。
６．むすび
　以上のとおり、本願発明は引用発明及び刊行物２に記載された事項に基づいて当業者が容易に発明をすることができたものであり、特許法第２９条第２項の規定により特許を受けることができない。
　したがって、その余の請求項に係る発明について検討するまでもなく、本願は拒絶すべきものである。
　よって、結論のとおり審決する。